(57)【特許請求の範囲】
【請求項１】
温室内に設置した養液栽培用の培地に対して養液を給液する給液ユニットと、前記培地から排出される排液を貯留する排液タンクと、前記排液タンクから排液を排出するポンプとを備えると共に、以下の構成をも備えていることを特徴とする水耕栽培システム。
（１）前記給液ユニットは、前記培地に対して所定の肥料濃度とされた養液を供給する装置として構成されていて、時刻を計時する計時部と、一日の内で少なくとも日中の時間帯について複数の時間帯に分けて各時間帯毎の給液条件を設定する時間帯毎給液条件設定部とを備え、前記計時部の計時する時刻と前記時間帯毎給液条件設定部の設定内容とに従って養液の供給を実行する潅水制御盤によって駆動制御されていること。
（２）前記ポンプからの排出路に設置された流量計と、該流量計の計測値を記憶する排液カウンタとを備え、前記流量計は、その設置箇所を通過する排液の量が所定量に達するごとにパルス信号を出力する装置で構成され、前記排液カウンタは、前記流量計から入力されるパルス信号を積算したパルス積算値に基づいて排液量を算出する装置で構成されていること。
（３Ａ）前記排液カウンタは、時刻を計時する計時部と、一日を複数の時間帯に分けた時間帯毎記憶領域とを備え、前記流量計から連続的にパルス信号が入力されている間のパルス積算値と時刻とから、計測対象の時間帯と当該時間帯に対する排液量とを特定し、前記時間帯毎記憶領域に対して時間帯毎の排液量を記憶する装置として構成されていること。
（４Ａ）前記排液カウンタの前記時間帯毎記憶領域に記憶された時間帯毎の排液量を出力する時間帯毎排液量出力装置を備えていること。
（５）前記排液カウンタの時間帯毎記憶領域は、前記潅水制御盤の時間帯毎給液条件設定部における時間帯の設定と対応して排液量を記憶することができる様に構成されていること。
（６）前記ポンプは、前記排液タンク内に貯留された排液の量が所定のハイレベル量に達したときに排出動作を開始し、所定のロウレベル量になったら排出動作を停止するフロート付きポンプで構成されていること。
【請求項２】
温室内に設置した養液栽培用の培地に対して養液を給液する給液ユニットと、前記培地から排出される排液を貯留する排液タンクと、前記排液タンクから排液を排出するポンプとを備えると共に、以下の構成をも備えていることを特徴とする水耕栽培システム。
（１）前記給液ユニットは、前記培地に対して所定の肥料濃度とされた養液を供給する装置として構成されていて、時刻を計時する計時部と、一日の内で少なくとも日中の時間帯について複数の時間帯に分けて各時間帯毎の給液条件を設定する時間帯毎給液条件設定部とを備え、前記計時部の計時する時刻と前記時間帯毎給液条件設定部の設定内容とに従って養液の供給を実行する潅水制御盤によって駆動制御されていること。
（２）前記ポンプからの排出路に設置された流量計と、該流量計の計測値を記憶する排液カウンタとを備え、前記流量計は、その設置箇所を通過する排液の量が所定量に達するごとにパルス信号を出力する装置で構成され、前記排液カウンタは、前記流量計から入力されるパルス信号を積算したパルス積算値に基づいて排液量を算出する装置で構成されていること。
（３Ｂ）前記排液カウンタは、前記給液ユニットにおける各時間帯毎の潅水の開始及び一日の最後の時間帯における潅水の終了の指令又は時刻の設定に基づいて、計測対象となる時間帯の潅水の開始と、次の時間帯の潅水の開始または最後の時間帯の潅水の終了との間に積算したパルス信号積算値に基づいて、前記計測対象となる時間帯における排液量を算出し、当該計測対象となる時間帯に対する排液量として記憶することにより、各時間帯毎の排液量を分けて記憶する装置として構成されていること。
（４Ｂ）前記排液カウンタに分けて記憶されている排液量を、前記給液ユニットにおける前記時間帯毎給液条件設定部の各時間帯と対応する排液量として出力する時間帯毎排液量出力装置を備えていること。
（６）前記ポンプは、前記排液タンク内に貯留された排液の量が所定のハイレベル量に達したときに排出動作を開始し、所定のロウレベル量になったら排出動作を停止するフロート付きポンプで構成されていること。
【請求項３】
さらに、以下の構成をも備えたことを特徴とする請求項１又は２に記載の水耕栽培システム。
（４Ｃ）前記時間帯毎排液量出力装置は、前記給液ユニットによる各時間帯の給液量を算出する時間帯毎給液量算出手段を備えると共に、前記排液量の出力において、排液量を給液量で除した排液率による出力を行う手段として構成されていること。
【請求項４】
さらに、以下の構成をも備えたことを特徴とする請求項１〜３のいずれかに記載の水耕栽培システム。
（４Ｄ）前記時間帯毎排液量出力装置は、縦軸横軸の一方を時間帯とし、各時間帯に対する排液量の計測が完了した時点で該当する時間帯に対してグラフ形式で表示する様に排液量の出力表示を行うグラフ化機能を有していること。
【請求項５】
さらに、以下の構成をも備えたことを特徴とする請求項１〜４のいずれかに記載の水耕栽培システム。
（７）前記給液ユニットにおける前記時間帯毎給液条件設定部の各時間帯に対応して前記排液カウンタに記憶された排液量が予め設定した適正値の範囲から外れている場合にはアラームを報知するアラーム報知手段を備えていること。
【請求項６】
さらに、以下の構成をも備えたことを特徴とする請求項１〜５のいずれかに記載の水耕栽培システム。
（８Ａ）前記給液ユニットにおける前記時間帯毎給液条件設定部の各時間帯に対応して前記排液カウンタに記憶された排液量が予め設定した適正値の範囲から外れている場合には、当該適正値の範囲から外れた値の排液量が対応する時間帯に対する前記潅水制御盤の時間帯毎給液条件設定部の給液条件の内の給液量を前記適正値の範囲内に近付ける方向に増加又は減少させる給液条件自動更新手段を備えていること。
（８Ｂ）前記給液条件自動更新手段によって給液量の増加又は減少が行われたときは、当該増加又は減少が行われた設定時間帯を報知する手段を備えていること。
【発明の詳細な説明】
【技術分野】
【０００１】
本発明は、水耕栽培システムに係り、特に、最適な潅水を行うためのシステムに関するものである。
【背景技術】
【０００２】
従来、図１６に示す様に、［１］温室内を作物の成長段階に応じた複数の内室に仕切ると共に、［２］各内室の栽培ステージ（１）〜（３）からの排液量等の履歴に応じて新たに供給する培養液の供給量等を制御するＣＰＵ（１）〜（３）を有する給液ユニットと、［３］排液貯蔵装置への排液量を検出装置（１）〜（３）で検出して給液ユニットのＣＰＵ（１）〜（３）へと送信する排液ユニットとを備えさせ、植物の成長段階に応じた最適な外的環境、量・濃度の培養液を付与する様にした水耕栽培装置が提案されている（特許文献１）。
【０００３】
この特許文献１の水耕栽培装置では、過去１日あるいは１週間で貯液された排液量を検出し、予定の排液量と比較し、多い場合には供給量を少なくするなどして新たに供給する培養液量を決定している。
【先行技術文献】
【特許文献】
【０００４】
【特許文献１】実開平５−５３４５７（要約、００２０、図１）
【発明の概要】
【発明が解決しようとする課題】
【０００５】
ところで、温室内の作物は、定植直後、茎や蔓の伸びる生育期、開花期、結実期などの成長段階の違いだけでなく、日の出直後、日中、日没前、夜間など時刻に応じて光合成の活性度が異なり、一日の中でも成長速度等が変動している。この一日の中での成長速度等の変動は、温室の建設された地域、季節、天候などの影響も受ける。さらには、例えば、トマトか茄子か花卉かといった作物の種類の違いや、電照菊における日没後の照明条件など、温室内の作物の一日の中での成長速度の変動は種々に異なってくる。
【０００６】
このため、過去１日あるいは過去１週間の排液量に基づくフィードバック制御を行う場合には、こうした一日の中での作物の成長速度は考慮されないこととなり、成長段階に応じた最適な給液制御を行うことができないという問題が生じる。
【０００７】
そこで、本発明は、温室内の作物に対して光合成時間帯における最適な潅水を施すことにより、作物の生育、収量を良好なものとすることを目的とする。
【課題を解決するための手段】
【０００８】
上記目的を達成するためになされた本発明の水耕栽培システムは、温室内に設置した養液栽培用の培地に対して養液を給液する給液ユニットと、前記培地から排出される排液を貯留する排液タンクと、前記排液タンクから排液を排出する排液ポンプとを備えると共に、以下の構成をも備えていることを特徴とする。
（１）前記給液ユニットは、前記培地に対して所定の肥料濃度とされた養液を供給する装置として構成されていて、時刻を計時する計時部と、一日の内で少なくとも日中の時間帯について複数の時間帯に分けて各時間帯毎の給液条件を設定する時間帯毎給液条件設定部とを備え、前記計時部の計時する時刻と前記時間帯毎給液条件設定部の設定内容とに従って養液の供給を実行する潅水制御盤によって駆動制御されていること。
（２）前記ポンプからの排出路に設置された流量計と、該流量計の計測値を記憶する排液カウンタとを備え、前記流量計は、その設置箇所を通過する排液の量が所定量に達するごとにパルス信号を出力する装置で構成され、前記排液カウンタは、前記流量計から入力されるパルス信号を積算したパルス積算値に基づいて排液量を算出する装置で構成されていること。
（３Ａ）前記排液カウンタは、時刻を計時する計時部と、一日を複数の時間帯に分けた時間帯毎記憶領域とを備え、前記流量計から連続的にパルス信号が入力されている間のパルス積算値と時刻とから、計測対象の時間帯と当該時間帯に対する排液量とを特定し、前記時間帯毎記憶領域に対して時間帯毎の排液量を記憶する装置として構成されていること。
（４Ａ）前記排液カウンタの前記時間帯毎記憶領域に記憶された時間帯毎の排液量を出力する時間帯毎排液量出力装置を備えていること。
（５）前記排液カウンタの時間帯毎記憶領域は、前記潅水制御盤の時間帯毎給液条件設定部における時間帯の設定と対応して排液量を記憶することができる様に構成されていること。
（６）前記ポンプは、前記排液タンク内に貯留された排液の量が所定のハイレベル量に達したときに排出動作を開始し、所定のロウレベル量になったら排出動作を停止するフロート付きポンプで構成されていること。
【０００９】
本発明の水耕栽培システムでは、潅水制御盤に時間帯毎給液条件設定部が備わっているから、作物の種類、栽培する季節、その日の天候、作物の成長段階（定植、生育、開花、結実）などに加えて、光合成が徐々に強まっていく時間帯、光合成を活発に行う時間帯、光合成が徐々に弱まっていく時間帯についても、最適となる給液量での潅水を実行することができる。ここで、潅水制御盤における「各時間帯毎の給液条件」は、「給液開始時刻と給液量」あるいは「給液開始時刻と給液停止時刻」など、一日の中での作物の光合成の進行度合いと対応する様に時間帯に対して最適な量の養液を供給できる設定方法なら特に限定するものではない。
【００１０】
そして、本発明の水耕栽培システムによれば、排液カウンタの時間帯毎記憶領域に記憶されている排液量が適正値の範囲内に収まっていれば、潅水制御盤の時間帯毎給液条件設定部に設定した給液条件が適切であると確認することができ、逆に、適正値の範囲を外れた値で排液量が記憶された時間帯については、潅水制御盤の給液条件の設定を見直すべきことを利用者に理解させることができる。ここで、時間帯毎排液量出力装置は、プリンタを備えて紙に印刷して内容を出力するものであってもよいし、モニタを備えていて画面表示によって内容を出力するものであってもよい。また、潅水制御盤に対して内容をデータあるいはコマンドとして出力するものであってもよい。さらに、排液カウンタは、潅水制御盤と別体でもよいし一体であっても構わない。
【００１１】
ここで、排液量が適正値の範囲内に収まっているということは、当該時間帯に対する潅水条件の設定が望ましいものとなっていることを意味する。排液量がゼロとなるのは、潅水量が不足した状態であるから、これを避けなければならない。その一方、排液量が多すぎるのも栽培条件として望ましいものではない。経費の増加につながるからである。このため、排液量の適正値は、「ゼロよりも大きくかつ適度に小さな値」ということになる。なお、適正値の範囲を外れたら自動修正する等の機能を持たせることも可能であるが、むしろ、農家に対して適正値との関係を知らせ、季節や天候などの要因を考慮して翌日の潅水設定を農家の経験を活かして設定できる様に、自動修正まではせずに結果を出力するだけに留めておくことにも意義がある。農家は、排液量がゼロに近い時間帯についてより注意して灌水条件の見直しをすればよく、経費面にのみとらわれた条件設定をしてしまわない様にするためである。
【００１２】
なお、排液カウンタにおける排液量を記憶する複数の時間帯は、固定されていてもよいし、任意に設定できる様に構成してもよい。これは、潅水制御盤の給液条件の設定に関しても同様である。また、排液カウンタにおいては、排液量のデータの保存期間として望ましくは過去３日以上、より望ましくは過去１週間分以上を時間帯毎に記憶しておくとよい。この場合、所定の保存期間（３日、７日等）が過ぎたデータの記憶領域に最新のデータを上書きする様にして記憶領域の節約を図る様にするとよい。
【００１３】
また、排液カウンタへのデータの記憶に当たっては、流量計からの排液量をそのまま用いてもよいし、排液量を栽培株数で割った値を記憶する様にしてもよい。トマトなどでは１株当たりの給液条件の方が、データを見たときに直感的に給液条件の善し悪し、調整量等を判断し易いからである。
【００１５】
また、（５）の構成をも備えることにより、排液カウンタの時間帯毎記憶領域に記憶された排液量から、潅水制御盤の時間帯毎給液条件設定部におけるどの時間帯の給液条件を維持し、どの時間帯の給液条件を訂正したらよいかが容易に判明するからである。なお、排液カウンタ側の時間帯毎記憶領域は、潅水制御盤側の時間帯毎給液条件設定部における時間帯設定と連動して定まる様にしておくことで、上記の作用・効果をより確実に発揮させる構成とすることもできる。
【００１６】
連動させる構成としては、本発明の（３Ａ），（４Ａ）及び（５）の構成を以下の（３Ｂ），（４Ｂ）の様に変更することができる。
（３Ｂ）前記排液カウンタは、前記給液ユニットにおける各時間帯毎の潅水の開始及び一日の最後の時間帯における潅水の終了の指令又は時刻の設定に基づいて、計測対象となる時間帯の潅水の開始と、次の時間帯の潅水の開始または最後の時間帯の潅水の終了との間に積算したパルス信号積算値に基づいて、前記計測対象となる時間帯における排液量を算出し、当該計測対象となる時間帯に対する排液量として記憶することにより、各時間帯毎の排液量を分けて記憶する装置として構成されていること。
（４Ｂ）前記排液カウンタに分けて記憶されている排液量を、前記給液ユニットにおける前記時間帯毎給液条件設定部の各時間帯と対応する排液量として出力する時間帯毎排液量出力装置を備えていること。
【００１７】
（３Ｂ）の構成は、例えば、潅水スタートの信号（潅水制御盤もしくは給液配管の流量計からのパルス）で排液カウンタでのある時間帯の排液量の計測が開始され、やがて潅水がとまり、次の潅水スタートの信号が入力されたら当該時間帯の計測を終了して計測値を記憶すると共に、次の時間帯の計測を開始するといった態様で具体的に実施することができる。この結果、（５）の構成を備えていなくても、自動的に給液ユニットにおける時間帯毎給液条件設定部の各時間帯に対応して排液カウンタに排液量が分けて記憶されることとなる。
【００１８】
また、これら本発明の水耕栽培システムは、さらに、以下の構成をも備えることができる。
（４Ｃ）前記時間帯毎排液量出力装置は、前記給液ユニットによる各時間帯の給液量を算出する時間帯毎給液量算出手段を備えると共に、前記排液量の出力において、排液量を給液量で除した排液率による出力を行う手段として構成されていること。
【００１９】
給液量は、給液ユニットに備えられた流量計または給液ユニットからの配管の分岐前に設置された流量計からのパルスおよびパルス当たりの流量から設定時間帯の給液量実測値として算出する様にしておくとよい。排液率を指標にしている農場経営者に対する仕様として効果を発揮する。
【００２０】
また、これら本発明の水耕栽培システムは、さらに、以下の構成をも備えることができる。
（４Ｄ）前記時間帯毎排液量出力装置は、縦軸横軸の一方を時間帯とし、各時間帯に対する排液量の計測が完了した時点で該当する時間帯に対してグラフ形式で表示する様に排液量の出力表示を行うグラフ化機能を有していること。
【００２１】
過去の履歴を表示するだけでなく、グラフ化してリアルタイムに排液量の変化を表示することで、農場経営者がより的確な判断をするのに役立つ。
【００２２】
ここで、流量計としては、三極棒式や、回転式流量計も採用することができるものの、三極棒式では排液ポンプ動作中の排液量が不明確になる場合があり、回転式流量計ではエア噛みの誤差が起こる可能性がある。そこで、本発明の水耕栽培システムは、さらに、以下の構成をも備えるとよい。
（６）前記ポンプは、前記排液タンク内に貯留された排液の量が所定のハイレベル量に達したときに排出動作を開始し、所定のロウレベル量になったら排出動作を停止するフロート付きポンプで構成されていること。
【００２３】
排液ポンプとしてフロート付きポンプを採用することにより、ある時間帯（時刻）の潅水の実行に伴って少し遅れて培地からあふれ出した排液が排液タンク内で増加してハイレベルになったときにフロートがＯＮとなって排液ポンプが動作を開始する。これによって排液ポンプの単位時間当たり吐出能力に対応する量の排液が排出され始める。その後、培地からの養液のあふれ出しがなくなり、排液タンク内の水位が低下してロウレベルになるとフロートがＯＦＦとなって排液ポンプの動作が停止する。
【００２４】
この様に、排液ポンプはずっと作動し続ける分けではなく、ハイレベルになったときにロウレベルになるまで動作することで、エア噛みによる不正確な計測が行われるのを防止できるという利点がある。また、排液ポンプが一旦動作した場合、一定量以上の排液が連続して吐出されることになるから、排液量は、例えば、１Ｌで1パルスの信号を出力する様な簡単な構成の流量計によってかなり正確に計測することができる。従って、時間帯毎の潅水が適切であったか否かを判断するための排液量を、低コストで正確に測定することができる。
【００２５】
また、これら本発明の水耕栽培システムは、以下の構成をも備えるとよい。
（７）前記給液ユニットにおける前記時間帯毎給液条件設定部の各時間帯に対応して前記排液カウンタに記憶された排液量が予め設定した適正値の範囲から外れている場合にはアラームを報知するアラーム報知手段を備えていること。
【００２６】
アラームは、例えばモニタに排液量を出力する場合に点滅表示したり、色を異ならせるといった方法や、ブザー等による報知、さらには、農場関係者への情報配信の様な形を採っても構わない。この構成を備えることにより、利用者の見落としを防止することができる。この場合、特に、排液量がゼロの場合は、それ以外の場合よりもより一層注意を惹く様なアラームの形態とするとよい。排液量ゼロ、即ち、潅水量の不足は避けなければならないからである。
【００２７】
さらに、これら本発明の各水耕栽培システムは、以下の構成をも備えることができる。
（８Ａ）前記給液ユニットにおける前記時間帯毎給液条件設定部の各時間帯に対応して前記排液カウンタに記憶された排液量が予め設定した適正値の範囲から外れている場合には、当該適正値の範囲から外れた値の排液量が対応する時間帯に対する前記潅水制御盤の時間帯毎給液条件設定部の給液条件の内の給液量を前記適正値の範囲内に近付ける方向に増加又は減少させる給液条件自動更新手段を備えていること。
（８Ｂ）前記給液条件自動更新手段によって給液量の増加又は減少が行われたときは、当該増加又は減少が行われた設定時間帯を報知する手段を備えていること。
【００２８】
上記構成をも採用することにより、潅水制御盤に学習機能を持たせることができ、無駄がなく、かつ、最適な潅水を実行することができる。
【００２９】
ここで、問題の生じた時間帯の給液量の補正の手法としては、例えば、排液量がゼロのときは、連続的な潅水の時間を長くしたり、間欠的な潅水の間隔を短くするなどにより、当該時間帯内での潅水量を増加させる様なプラス補正を行うとよい。逆に、排液量が適正値よりも大きすぎる場合は、連続的な潅水の時間を短くしたり、間欠的な潅水の間隔を長くするなどにより、当該時間帯内での潅水量を減少させる様なマイナス補正を行うとよい。なお、このマイナス補正については、補正の上限を定めておき、潅水間隔が長くなり過ぎない様な手当をしておくことが望ましい。
【００３０】
また、この補正は、潅水時間と潅水間隔の両方を調整することによって実行する様にするとさらによい。これは、光合成活性度との関係から、例えば、朝の早い時間帯よりも日照の強くなった時間帯の方が潅水間隔を短くする様な設定と対応させる上で、潅水時間と潅水間隔の両方を調整する補正がより適切かつ緻密な栽培条件の設定を可能にするからである。
【発明の効果】
【００３１】
本発明によれば、温室内の作物に対して光合成時間帯における最適な潅水を施すことができ、作物の生育、収量を良好なものとすることができる。
【図面の簡単な説明】
【００３２】
【図１】実施例１の水耕栽培システムの構成を示す模式図である。
【図２】実施例１における制御系統のブロック図である。
【図３】実施例１における潅水制御の内容を示すフローチャートである。
【図４】実施例１におけるポンプ駆動条件（Ａ）及び流量パルス出力条件（Ｂ）の内容を示すフローチャートである。
【図５】実施例１における排液量記憶処理の内容を示すフローチャートである。
【図６】実施例１における表示制御の内容を示すフローチャートである。
【図７】実施例２における表示制御の内容を示すフローチャートである。
【図８】実施例３における制御系統のブロック図である。
【図９】実施例３におけるチェック処理（Ａ）及び変更処理（Ｂ）の内容を示すフローチャートである。
【図１０】実施例４におけるチェック処理（Ａ）及び変更処理（Ｂ）の内容を示すフローチャートである。
【図１１】実施例５における排液率記憶処理の内容を示すフローチャートである。
【図１２】実施例６における制御系統のブロック図である。
【図１３】実施例６における潅水制御の内容を示すフローチャートである。
【図１４】実施例６における排液量記憶処理の内容を示すフローチャートである。
【図１５】実施例７におけるリアルタイムグラフ表示機能をも実現する排液量記憶処理の内容を示すフローチャートである。
【図１６】従来技術の説明図である。
【発明を実施するための形態】
【００３３】
以下、本発明を実施するための形態を、図面に示す具体的な実施例に基づいて説明する。
【実施例１】
【００３４】
実施例１の水耕栽培システム１０が適用される温室１には、図１に示す様に、室内に設置した養液栽培用の培地２，２，…に対して養液を給液する給液ユニット２０と、培地２，２，…から排出される排液を貯留する排液タンク３と、排液タンク３から排液を排出する排液ポンプ４と、給液ユニット２０による養液の供給を実行する潅水制御盤３０と、排液ポンプ４からの排出路に設置された流量計６の計測値を記憶する排液カウンタ４０とを備えている。
【００３５】
図示の様に、排液ポンプ４は、排液タンク３内に貯留された排液の量が所定のハイレベル量に達したときに排出動作を開始し、所定のロウレベル量になったら排出動作を停止するフロート付きポンプで構成されている。この排液ポンプ４の排出パイプ５には、１Ｌで1パルスの信号を出力する構成の流量計６が設置されている。この流量計６のパルス信号は、排液カウンタ４０へと入力される。なお、排液タンク３は、給液パイプ７から各培地２に供給され、各培地２の保持能力を越えてあふれ出た養液が集液樋８で集められ、集液パイプ９を介して流入する様になっている。
【００３６】
図２に示す様に、潅水制御盤３０は、時刻を計時する計時部３１と、一日の内で少なくとも日中の時間帯について複数の時間帯に分けて各時間帯毎の給液条件を設定する時間帯毎給液条件設定部の役割を担う記憶部３２と、モニタ３３と、入出力部３４とを備えている。また、排液カウンタ４０は、時刻を計時する計時部４１と、一日を複数の時間帯に分けた時間帯毎記憶領域を担う記憶部４２と、モニタ４３と、入出力部４４とを備えている。この排液カウンタ４０の記憶部４２は、潅水制御盤３０の記憶部３２における給液条件に関する時間帯毎の設定と対応して排液量を記憶することができる様に構成されている。
【００３７】
潅水制御盤３に備えられた記憶部３２には、光合成が徐々に強まっていく時間帯、光合成を活発に行う時間帯、光合成が徐々に弱まっていく時間帯のそれぞれについて、最適となる給液量での潅水を実行する様に時間帯毎の給液量を設定する。本実施例においては夜間は潅水を行わず、日の出から日没までの間に潅水を行う様に、８つの時間帯が設定可能に構成されている。そして、これら８つに分割された各時間帯に対して、トマトなどの果菜類については１株当たりの給液量を設定する。この際、作物の種類（トマトか茄子か、菊かバラか等）、栽培する季節（春作、夏作、秋作、冬作）、その日の天候（晴れ、雨、曇りなど）、作物の成長段階（定植直後、生育強化時期、開花時期、結実時期など）をも考慮して農場経営者の経験を踏まえて任意に設定することができる。
【００３８】
排液カウンタ４０の記憶部４２は、潅水制御盤３０の記憶部３２の時間帯設定に対応して８つの時間帯における排液量を記憶できる様に構成されると共に、１日につき８つの時間帯を３日分保持できる構成となっている。４日前のデータの記憶領域に本日のデータが上書きされ、毎朝、直近３日分のデータを確認することができる様になっている。なお、３日分保持に限らず、７日分保持など、さらに長い期間の履歴を保持できる様にして構わない。また、本実施例では、排液カウンタ４０へのデータの記憶に当たっては、流量計６からの排液量を、給液条件の設定方法と合わせて、栽培坪数で割った値、あるいは栽培株数で割った値に換算して記憶することとしている。
【００３９】
排液ポンプ４は、上述の様にフロート付きポンプを採用しているので、ある時間帯（時刻）の潅水の実行に伴って少し遅れて培地２からあふれ出した排液が排液タンク３内で増加してハイレベルになったときにフロートがＯＮとなって動作を開始する。これによって排液ポンプ４の単位時間当たり吐出能力に対応する量の排液が排出され始める。その後、培地２からの養液のあふれ出しがなくなり、排液タンク３内の水位が低下してロウレベルになるとフロートがＯＦＦとなって排液ポンプ４の動作が停止する。この動作時間と排液ポンプの吐出能力とによって、ある時間帯の潅水の実行に伴ってあふれ出した排液の量が定まり、流量計６は、１Ｌの排液が通過する毎に1パルスの信号を出力する。
【００４０】
次に、潅水制御盤３０における潅水制御の内容について、図３のフローチャートに基づいて説明する。計時部３１から時間帯１の設定時刻になったことを示す信号を受信したら（Ｓ１０：ＹＥＳ）、記憶部３２の時間帯１に設定されている給液条件に従って給液ユニット２０に対して給液を指令する（Ｓ１５）。
【００４１】
本実施例においては、設定時刻から給液条件を満たす時間に渡って給液ユニット２０の給液ポンプを駆動する。この際、給液ユニット２０は、給液パイプ７の電磁弁を開放する。これによって、各培地２，２，…に対して所定の肥料濃度とされた養液が供給される。ここで、各培地２，２，…は、木質チップ、椰子殻、ロックウールなどの培地素材をスラブ状にしたもので、養液を所定量保持する能力を有する。培地２，２，…の保持能力を越える養液は、図１に示した様に、集液樋８で集められ、集液パイプ９を介して排液タンク３に流入する。
【００４２】
その後、潅水制御盤３０は、時間帯２の設定時刻になったら記憶部３２の時間帯２に設定されている給液条件に従って給液ユニット２０に対して給液を指令し（Ｓ２０，Ｓ２５）、時間帯３の設定時刻になったら記憶部３２の時間帯３に設定されている給液条件に従って給液ユニット２０に対して給液を指令し（Ｓ３０，Ｓ３５）、以下同様の処理を実行し、時間帯８の設定時刻になって記憶部３２の時間帯８に設定されている給液条件に従って給液ユニット２０に対して給液を指令して一日の処理を終える（Ｓ８０，Ｓ８５）。
【００４３】
次に、排液ポンプ４の駆動条件について、図４（Ａ）のフローチャートで説明する。排液ポンプ４は、排液タンク３の水位が上昇してフロートがＯＮになると（Ｓ１１０）、起動される（Ｓ１２０）。これによって、排液タンク３内の排液が排出パイプ９へと排出される。その後、排液タンク３の水位が下降してフロートがＯＦＦになると（Ｓ１３０）、停止される（Ｓ１４０）。
【００４４】
排液ポンプ４は、この動作を繰り返し実行することにより、培地２，２，…からあふれ出す排液の量が多い場合は、潅水が開始された時刻よりも少し遅れて起動され、排液タンク３内の排液をロウレベルになるまで排出する。一方、培地２，２，…からあふれ出す排液の量が少なくて排液タンク３の水位がハイレベルに至らない場合は、潅水が行われた時間帯であっても起動されないことになる。朝一番の設定時間帯１の潅水時には比較的長時間に渡って起動され、その後は設定時間帯毎に短時間だけ起動される状態となることが望ましい。これは、朝一番は、培地２，２，…の養液が作物に吸われて乾燥気味になっていることから、給液量を多めに設定し、その後は、時間帯毎の光合成の活性度に対応した給液量となる様に給液条件を設定し、給液不足を避けつつも、養液の無駄を極力抑えた状態が望ましい給液の状態となるからである。
【００４５】
次に、流量計６のパルス出力条件について、図４（Ｂ）のフローチャートで説明する。流量計６は、排出パイプ９内を排液が連続的に流れる状態になると積算を開始し（Ｓ２１０，Ｓ２２０）、積算量が１Ｌになったら（Ｓ２３０：ＹＥＳ）、パルス信号を１回出力すると共に（Ｓ２４０）、積算値をリセットする（Ｓ２５０）。その後も流れが連続しているなら（Ｓ２６０：ＹＥＳ）、Ｓ２２０へ戻る。
【００４６】
次に、排液カウンタ４０における排液量記憶処理の内容について、図５のフローチャートに基づいて説明する。流量計６からのパルス信号を受信したら（Ｓ３１０：ＹＥＳ）、計時部４１から現在の時刻Ｔ１を読み込んで記憶すると共に（Ｓ３２０）、排液カウント値Ｃを１インクリメントする（Ｓ３３０）。その後、次のパルス信号を受信したか否かを判定する（Ｓ３４０）。次のパルス信号を受信したら（Ｓ３４０：ＹＥＳ）、Ｓ３３０へ戻って排液カウント値Ｃを１インクリメントする。一方、次のパルス信号を受信しないまま（Ｓ３４０：ＮＯ）、所定時間が経過したときは（Ｓ３５０：ＹＥＳ）、再び計時部４１から現在の時刻Ｔ２を読み込んで記憶する（Ｓ３６０）。そして、Ｓ３２０で記憶した時刻Ｔ１及びＳ３６０で記憶した時刻Ｔ２から時間帯を特定すると共に（Ｓ３７０）、記憶部４２内に時間帯と排液量を記憶し（Ｓ３８０）、排液カウント値Ｃをリセットする（Ｓ３９０）。その後、計時部４１から時間帯８の終了時刻が計時されるまで、Ｓ３１０以下の処理を繰り返し実行する（Ｓ４００：ＮＯ）。
【００４７】
そして、終了時刻が計時されたら（Ｓ４００：ＹＥＳ）、記憶部４２の３日前のデータに対して上書きする形で、設定時刻に対応する排液量を記憶する（Ｓ４１０）。ここでの記憶方法は、潅水制御盤３０における給液条件の設定方法に対応する様に、排液カウント値Ｃに１Ｌを乗じた上で、栽培坪数で割った値又は栽培株数で割った値に換算した上で記憶部４２に記憶する。上述の様に、排液ポンプ６は、必ずしも各設定時間帯毎に起動・停止される訳ではないから、時間帯によっては排液量ゼロが記憶されることになる。
【００４８】
次に、排液カウンタ４０における表示制御の内容について、図６のフローチャートに基づいて説明する。タッチパネルを備えたモニタ４３の画面に対して「表示」を指令するタッチ操作があったら（Ｓ５１０：ＹＥＳ）、１日前の排液量を記憶したページを読み出してモニタ４３に表示する（Ｓ５１５）。タッチパネル操作によってページ送りが指令されると（Ｓ５２０：ＹＥＳ）、２日前の排液量を記憶したページを読み出してモニタ４３に表示する（Ｓ５２５）。さらに、ページ送りが指令されると（Ｓ５３０：ＹＥＳ）、３日前の排液量を記憶したページを読み出してモニタ４３に表示する（Ｓ５３５）。
【００４９】
農場経営者は、この表示を見て、ノート等に排液量を記録する。上述した様に、朝一番である設定時間帯１においてある程度大きめの排液量が記憶され、その後は、適正値の範囲内に収まった状態となることが望ましい。設定時間帯１がある程度大きめの排液量となるのは、夜間に潅水を行わないことによる乾燥状態を速やかに解消するためである。農場経営者は、ノートの記録から過去３日分の排液量の履歴に基づき、給液不足を避けつつも養液の無駄を生じない様な条件となる様に、潅水制御盤３０の給液条件の設定を適切な値へと変更する。
【実施例２】
【００５０】
次に、実施例２について説明する。システム全体の構成は図１に示したものと同様であるが、排液カウンタ４０における表示制御を、図７のフローチャートに示す内容としている。
【００５１】
タッチパネル操作によって「表示」が指令されたら（Ｓ６１０：ＹＥＳ）、１日前の排液量を記憶したページを読み出す（Ｓ６１１）。そして、各設定時間帯毎の排液量の中にアラーム条件として設定した適正値の下限値を下回るものがあるか否かを判定する（Ｓ６１２）。下限値を下回るものがなければ（Ｓ６１２：ＮＯ）、次に、適正値の上限値を上回るものがあるか否かを判定する（Ｓ６１３）。上限値を上回るものもなければ（Ｓ６１３：ＮＯ）、実施例１と同様に１日前の排液量の履歴ページをそのまま表示する（Ｓ６１４）。一方、下限値を下回るものがあったときは（Ｓ６１２：ＹＥＳ）、下限値を下回った設定時間帯のデータを赤色点滅表示となる様に表示方法をアラーム警告状態として１日前の排液量の履歴ページを表示する（Ｓ６１５）。また、上限値を上回るものがあったときは（Ｓ６１３：ＹＥＳ）、上限値を上回った設定時間帯のデータを黄色点滅表示となる様に表示方法をアラーム注意状態として１日前の排液量の履歴ページを表示する（Ｓ６１６）。この結果、排液量が設定値の下限値を下回った時間帯は赤色点滅で、排液量が設定値の上限値を上回った時間帯は黄色点滅で、排液量が設定値の範囲内に収まっていた時間帯は通常表示で表示されることになる。以下、タッチ操作によるページ送りが指令された場合も、同様の処理を実行し、２日前、３日前の履歴に関しても、設定値の範囲から外れた排液量が記録された設定時間帯の表示については赤色点滅又は黄色点滅とする様にして、ページの切り替えが行われる（Ｓ６２０，Ｓ６２５，Ｓ６３０，Ｓ６３５）。
【００５２】
本実施例によれば、農場経営者は、給液条件の設定に問題のある時間帯を容易に知ることができ、潅水制御盤３０に対する設定を変更すべきことを直感的に知ることができる。特に、給液不足が生じる可能性の高い時間帯は赤色点滅で警告として表示されるので、どの時間帯が問題となりそうかを速やかに判断することができる。そして、黄色点滅の時間帯については、上限値をどの程度超えているかによって無駄の多い少ないを知り、給液条件をそのままにしておいてもよいかマイナス補正すべきかをじっくりと判断することができる。そして、当面問題のない時間帯も通常表示として直ちに知ることができる。
【実施例３】
【００５３】
次に、実施例３について説明する。図８のブロック図に示す様に、実施例１と異なり、排液カウンタ４０から潅水制御盤３０に対して指令を行う構成となっている。
【００５４】
この実施例では、図９（Ａ）のフローチャートに示す様に、排液カウンタ４０が給液条件変更指令を実行する。タッチパネル操作によって「チェック」が指令されたら（Ｓ７１０：ＹＥＳ）、過去３日分の排液量の履歴を読み出す（Ｓ７２０）。そして、これら履歴の中で下限値を下回るものがあるか否かを判定する（Ｓ７３０）。下限値を下回るものがあったら（Ｓ７３０：ＹＥＳ）、３日分の履歴において同じ時間帯の履歴で下限値を下回るか否かを判定する（Ｓ７４０）。３日間共に下限値を下回る時間帯があった場合は（Ｓ７４０：ＹＥＳ）、潅水制御盤３０に対して給液条件の設定変更を下限値を下回った時間帯の情報と共に指令する（Ｓ７５０）。
【００５５】
過去３日分の排液量の履歴の中に下限値を下回るものがないときは（Ｓ７３０：ＮＯ）、これら履歴の中で上限値を超えるものがあるか否かを判定する（Ｓ７３５）。上限値を超えるものがあったら（Ｓ７３５：ＹＥＳ）、３日分の履歴において同じ時間帯の履歴で上限値を超えているか否かを判定する（Ｓ７４５）。３日間共に上限値を超える時間帯があった場合は（Ｓ７４５：ＹＥＳ）、潅水制御盤３０に対して給液条件の設定変更を上限値を超えた時間帯の情報と共に指令する（Ｓ７５５）。
【００５６】
潅水制御盤３０は、図９（Ｂ）のフローチャートに示す様に、排液カウンタ４０から設定変更の指令があったときは（Ｓ８１０：ＹＥＳ）、モニタ３３に設定画面を表示すると共に（Ｓ８２０）、ブザーを鳴動させ（Ｓ８３０）、さらに、指令に含まれていた時間帯の設定欄を赤色点滅表示させる（Ｓ８４０）。これによって、農場経営者は、設定条件に問題があることを知り、適切な給液条件へと書き換えを行うことによって対処することができる。
【実施例４】
【００５７】
次に、実施例４について説明する。実施例３と同様に、排液カウンタ４０から潅水制御盤３０に対して指令を出力する構成となっている。
【００５８】
この実施例では、図１０（Ａ）のフローチャートに示す様に、排液カウンタ４０が給液条件変更指令を実行する。タッチパネル操作によって「チェック」が指令されたら（Ｓ９１０：ＹＥＳ）、過去３日分の排液量の履歴を読み出し（Ｓ９２０）、これら履歴の中で下限値を下回るものがあったら３日分の履歴において同じ時間帯の履歴で下限値を下回っているか否かを判定し（Ｓ９３０，Ｓ９４０）、３日間共に下限値を下回る時間帯があった場合は（Ｓ９４０：ＹＥＳ）、下限値を下回った時間帯について給液量を所定量増加させる指令を潅水制御盤３０に対して出力する（Ｓ９５０）。
【００５９】
また、下限値を下回るものがなくても（Ｓ９３０：ＮＯ）、上限値を超えるものがあったら３日分の履歴において同じ時間帯の履歴で上限値を超えているか否かを判定し（Ｓ９３５，Ｓ９４５）、３日間共に上限値を超える時間帯があった場合は（Ｓ９４５：ＹＥＳ）、上限値を超えた時間帯について給液量を所定量減少させる指令を潅水制御盤３０に対して出力する（Ｓ９５５）。
【００６０】
潅水制御盤３０は、図１０（Ｂ）のフローチャートに示す様に、排液カウンタ４０から設定変更の指令があったときは（Ｓ１０１０：ＹＥＳ）、モニタ３３に設定画面を表示すると共に（Ｓ１０２０）、ブザーを鳴動させ（Ｓ１０３０）、さらに、指令に含まれていた時間帯の設定欄のデータを指令に従って変更すると共に（Ｓ１０４０）、当該設定時間帯の欄を赤色点滅表示させる（Ｓ１０５０）。これによって、農場経営者は、設定条件に問題があって修正が行われたことを知り、その修正の適否を判断し、必用があればさらに減ずる、あるいは元に戻す、もしくは変更量を少なくした設定に書き換えるといった対処を行うことができる。
【実施例５】
【００６１】
次に、実施例５について説明する。システム全体の構成は図１に示したものと同様であるが、排液カウンタ４０における排液量記憶処理の内容について、以下の様にしている点で異なっている。図１１のフローチャートに示す様に、流量計６からのパルス信号を受信したら（Ｓ１１１０：ＹＥＳ）、計時部４１から現在の時刻Ｔ１を読み込んで記憶すると共に（Ｓ１１２０）、排液カウント値Ｃを１インクリメントする（Ｓ１１３０）。その後、次のパルス信号を受信したか否かを判定する（Ｓ１１４０）。次のパルス信号を受信したら（Ｓ１１４０：ＹＥＳ）、Ｓ１１３０へ戻って排液カウント値Ｃを１インクリメントする。一方、次のパルス信号を受信しないまま（Ｓ１１４０：ＮＯ）、所定時間が経過したときは（Ｓ１１５０：ＹＥＳ）、再び計時部４１から現在の時刻Ｔ２を読み込んで記憶する（Ｓ１１６０）。そして、Ｓ１１２０で記憶した時刻Ｔ１及びＳ３６０で記憶した時刻Ｔ２から時間帯を特定すると共に（Ｓ１１７０）、記憶部４２内に時間帯と排液率を記憶し（Ｓ１１８０）、排液カウント値Ｃをリセットする（Ｓ１１９０）。
【００６２】
ここで、排液率とは「（排液量）／（給液量）」である。本実施例は、排液率を指標にしている農場経営者に対する仕様である。排液率の算出に用いる給液量については、潅水ユニットに含まれる流量計または給液配管の分岐前に設置された流量計からのパルスおよびパルス当たりの流量から設定時間帯の給液量実測値から排液率を算出する構成としてもよいし、潅水制御盤の設定内容から算出した給液量演算値から排液率を算出する構成としてもよい。
【００６３】
その後、計時部４１から時間帯８の終了時刻が計時されるまで、Ｓ１１１０以下の処理を繰り返し実行する（Ｓ１２００：ＮＯ）。そして、終了時刻が計時されたら（Ｓ１２００：ＹＥＳ）、記憶部４２の３日前のデータに対して上書きする形で、設定時刻に対応する排液率を記憶する（Ｓ１２１０）。
【００６４】
本実施例では、排液カウンタ４０における表示制御で排液率を表示する。
【実施例６】
【００６５】
次に、実施例６について説明する。図１２のブロック図に示す様に、実施例１と異なり、排液カウンタ４０は計時部を有さず、潅水制御盤３０が排液カウンタ４０に対して各時間帯における潅水スタート及び潅水終了のタイミングを指令する構成となっている。
【００６６】
排液カウンタ４０は、計時部を有しないけれども、記憶部４２は実施例１と同様に、複数の時間帯に分けて排液量を記憶できる様に構成されている。
【００６７】
本実施例においては、潅水制御盤３０は、図１３のフローチャートに示す様に、計時部３１から時間帯１の設定時刻になったことを示す信号を受信したら（Ｓ１３１０：ＹＥＳ）、記憶部３２の時間帯１に設定されている給液条件に従って給液ユニット２０に対して給液を指令すると共に排液カウンタ４０に対して潅水スタートを指令する（Ｓ１３１５）。
【００６８】
その後、時間帯２の設定時刻になったら記憶部３２の時間帯２に設定されている給液条件に従って給液ユニット２０に対して給液を指令すると共に排液カウンタ４０に対して潅水スタートを指令する（Ｓ１３２０，Ｓ１３２５）、時間帯３の設定時刻になったら記憶部３２の時間帯３に設定されている給液条件に従って給液ユニット２０に対して給液を指令すると共に排液カウンタ４０に対して潅水スタートを指令し（Ｓ１３３０，Ｓ１３３５）、以下同様の処理を実行し、時間帯８の設定時刻になって記憶部３２の時間帯８に設定されている給液条件に従って給液ユニット２０に対して給液を指令すると共に排液カウンタ４０に対して潅水スタートを指令する（Ｓ１３８０，Ｓ１３８５）。そして、時間帯８における潅水が終了する条件となったとき（Ｓ１３９０：ＹＥＳ）、潅水終了信号を排液カウンタ４０に対して指令する（Ｓ１３９５）。
【００６９】
排液ポンプ４は、実施例１と同じく図４（Ａ）のフローチャートの駆動条件で駆動される。また、流量計６も、実施例１と同じく図４（Ｂ）のフローチャートに従ってパルス信号を出力する。
【００７０】
排液カウンタ４０における排液量記憶処理は、図１４のフローチャートに示す様に構成されている。潅水制御盤３０から朝一番の潅水スタート信号を受信したら（Ｓ１４１０）、時間帯番号Ｎを１に設定すると共に（Ｓ１４２０）、排液カウント値Ｃをゼロにリセットする（Ｓ１４３０）。その後、流量計６からのパルス信号を受信したら（Ｓ１４４０：ＹＥＳ）、排液カウント値Ｃを１インクリメントする（Ｓ１４５０）。この排液カウント値Ｃのカウントアップは、次の潅水スタート信号又は潅水終了信号を受信するまで繰り返し実行される。
【００７１】
次の潅水スタート信号を受信した場合は（Ｓ１４６０：ＹＥＳ）、その時点における排液カウント値Ｃを時間帯Ｎの排液量とした後（Ｓ１４７０）、時間帯番号Ｎを１インクリメントし（Ｓ１４８０）、Ｓ１４３０に戻る。
【００７２】
また、潅水終了信号を受信した場合は（Ｓ１４６５）、その時点における排液カウント値Ｃを時間帯Ｎの排液量とし（Ｓ１４７５）、記憶部４２の３日前のデータに対して上書きする形で、各設定時間帯に対応する排液量を記憶する（Ｓ１４９０）。
【００７３】
その後の排液カウンタ４０における表示制御は、実施例１と同じく、図６のフローチャートに従って実行される。
【００７４】
この実施例６によれば、時刻合わせをしなくても自動的に給液ユニットにおける時間帯毎給液条件設定部の各時間帯に対応して排液カウンタに排液量が分けて記憶されることとなる。
【実施例７】
【００７５】
次に、実施例７について説明する。実施例７は、実施例６の構成において、排液カウンタ４０が、モニタ４３にリアルタイムの排液量をグラフ表示する機能を備えたものである。排液カウンタ４０は、図１５のフローチャートに示す様に、潅水制御盤３０から朝一番の潅水スタート信号を受信したら（Ｓ１５１０）、時間帯番号Ｎを１に設定し（Ｓ１５２０）、排液カウント値Ｃをゼロにリセットする（Ｓ１５３０）。
【００７６】
続いて、モニタ４３に、横軸を時間帯、縦軸を排液量とする様に、時間帯Ｎのマス目を表示する（Ｓ１５４０）。
【００７７】
その後、流量計６からのパルス信号を受信したら（Ｓ１５５０：ＹＥＳ）、排液カウント値Ｃを１インクリメントする（Ｓ１５５５）。
【００７８】
次の潅水スタート信号を受信した場合は（Ｓ１５６０：ＹＥＳ）、その時点における排液カウント値Ｃを時間帯Ｎの排液量とし（Ｓ１５７０）、時間帯Ｎの位置に排液カウント値Ｃに対応する棒グラフを表示する（Ｓ１５８０）。
【００７９】
その後、時間帯番号Ｎを１インクリメントし（Ｓ１５９０）、Ｓ１５３０に戻る。
【００８０】
また、潅水終了信号を受信した場合は（Ｓ１５６５）、その時点における排液カウント値Ｃを時間帯Ｎの排液量とし（Ｓ１５７５）、時間帯Ｎの位置に排液カウント値Ｃに対応する棒グラフを表示すると共に（Ｓ１５８５）、記憶部４２の３日前のデータに対して上書きする形で、各設定時間帯に対応する排液量を記憶する（Ｓ１６００）。
【００８１】
この実施例によれば、過去の履歴を表示できるだけでなく、その日の排液量の変化の状況をリアルタイムにグラフ表示で知らせることができる。
【００８２】
以上、本発明の実施例を説明したが、本発明は実施例に限られるものではなく、その要旨を逸脱しない範囲内においてさらに種々の形態を採用することができることはもちろんである。
【００８３】
例えば、排液カウンタ４０は排液量そのものの値を記憶する様にしてもよいし、排液カウンタ４０と潅水制御盤３０を一体のものとして構成しても構わない。
【産業上の利用可能性】
【００８４】
温室における作物の水耕栽培に利用することができる。
【符号の説明】
【００８５】
１・・・温室、２・・・培地、３・・・排液タンク、４・・・排液ポンプ、５・・・排出パイプ、６・・・流量計、７・・・給液パイプ、８・・・集液樋、９・・・集液パイプ、１０・・・水耕栽培システム、２０・・・給液ユニット、３０・・・潅水制御盤、３１・・・計時部、３２・・・記憶部、３３・・・モニタ、３４・・・入出力部、４０・・・排液カウンタ、４１・・・計時部、４２・・・記憶部、４３・・・モニタ、４４・・・入出力部。
【要約】
【課題】温室内の作物に対して光合成時間帯における最適な潅水を施す。
【解決手段】水耕栽培システム１０は、培地２に給液する給液ユニット２０、培地２からの排液を貯留する排液タンク３から排液を排出するフロート付きの排液ポンプ４、潅水制御盤３０、流量計６の計測値を記憶する排液カウンタ４０を備える。潅水制御盤３０は、計時部３１、時間帯毎給液条件設定部の役割を担う記憶部３２、モニタ３３、入出力部３４を備え、排液カウンタ４０は、計時部４１、時間帯毎記憶領域を担う記憶部４２、モニタ４３、入出力部４４を備える。排液カウンタ４０の記憶部４２は、潅水制御盤３０の記憶部３２における給液条件に関する時間帯毎の設定と対応して排液量を記憶する。
【選択図】  図１【図１】
0005559897.tif 000002
【図２】
0005559897.tif 000003
【図３】
0005559897.tif 000004
【図４】
0005559897.tif 000005
【図５】
0005559897.tif 000006
【図６】
0005559897.tif 000007
【図７】
0005559897.tif 000008
【図８】
0005559897.tif 000009
【図９】
0005559897.tif 000010
【図１０】
0005559897.tif 000011
【図１１】
0005559897.tif 000012
【図１２】
0005559897.tif 000013
【図１３】
0005559897.tif 000014
【図１４】
0005559897.tif 000015
【図１５】
0005559897.tif 000016
【図１６】
0005559897.tif 000017